(57)【特許請求の範囲】
【請求項１】
木質基板の表面に断熱層を貼着した断熱パネルを構成すると共に、該木質基板に到達する断熱層欠如部を該断熱層に複数箇所形成し、該断熱層欠如部に充填嵌合し得る断熱スペーサを形成し、該断熱層欠如部に断熱スペーサを充填嵌合すると共に、該断熱スペーサおよび木質基板を貫通した固設釘で該断熱パネルを躯体に固設した躯体の断熱構造であって、断熱パネルを固設する前には該断熱スペーサの中心部において該断熱スペーサ自体に固設釘が予め貫通しており、該固設釘がそれぞれの断熱層欠如部の底部を介して木質基板を躯体に固設するときに断熱スペーサがそれぞれの断熱層欠如部に充填嵌合されるものであることを特徴とする躯体の断熱構造。
【請求項２】
上記断熱層欠如部および断熱スペーサのそれぞれの横断面を丸型にした請求項１記載の躯体の断熱構造。
【請求項３】
上記断熱スペーサは発泡体で構成するものである請求項１記載の躯体の断熱構造。
【発明の詳細な説明】
【技術分野】
【０００１】
本願発明は、木質基板の表面に発泡プラスチック等の断熱層を貼着した断熱パネルを躯体に貼着して良好な断熱性能を維持しながら、且つ、断熱パネルの取付施工が効率よく行える躯体の断熱構造に関するものである。
【背景技術】
【０００２】
従来から、特開２００４−５２３６２号公報に示されているように、耐力壁面材にプラスチック発泡体等の断熱材を貼着した断熱用の壁パネルを、壁躯体柱に釘またはビスで固設するとき、該断熱材を細長に除去して釘打ち溝を形成し、該釘打ち溝内の複数箇所に釘を打ち込んで壁パネルを固設していた。
【０００３】
壁パネルを固設した後に上記釘打ち溝にスペーサ部材を充填嵌合して断熱性能が落ちないようにしていたが、このスペーサ部材は釘打ち溝に形状に合わせて細長いものであった。このため該細長いスペーサ部材は運搬中にあるいは上記充填嵌合中に折れたり破損するおそれがあった。
【０００４】
また、特開２００２−２８５６５４号公報には、発泡樹脂断熱層を建物躯体に固定するため該発泡樹脂断熱層に複数個の丸孔を開け、この丸孔に円筒状の硬質プラスチックスペーサを嵌合しこの硬質プラスチックスペーサを貫通するビス等で該発泡樹脂断熱層を固設する技術が開示さているが、この躯体の断熱構造は固定板を使用せず発泡樹脂断熱層を直接躯体に固設するものであり、従って、硬質プラスチックスペーサも直接躯体に固定するものであった。
【特許文献１】特開２００４−０５２３６２号公報
【特許文献２】特開２００２−２８５６５４号公報
【発明の開示】
【発明が解決しようとする課題】
【０００５】
しかしながら、上記特許文献１においては、該細長いスペーサ部材が運搬中にあるいは上記充填嵌合中に折れたり破損するおそれがあり、また、該細長いスペーサ部材を完全な嵌合状態で釘打ち溝に充填嵌合するには慎重な作業が要求された。また、特許文献２においては、複数個の丸孔のそれぞれが断熱スペーサで充填嵌合されるものではなく従って該固設箇所の断熱性能が劣るという問題があった。
【０００６】
本願発明は、上記背景技術に鑑みてなしたものであり、その目的は、断熱スペーサの長さを短くして断熱パネルに形成した断熱層欠如部への充填嵌合作業を容易にし、且つ、断熱スペーサが運搬中や充填嵌合中に破損しないようにし、更に、断熱性能を断熱パネル全域に亘って安定均一化させた躯体の断熱構造を提供することにある。
【課題を解決するための手段】
【０００７】
上記課題を解決するために、本願請求項１記載の発明に係る躯体の断熱構造は、木質基板の表面に断熱層を貼着した断熱パネルを構成すると共に、該木質基板に到達する断熱層欠如部を該断熱層に複数箇所形成し、該断熱層欠如部に充填嵌合し得る断熱スペーサを形成し、該断熱層欠如部に断熱スペーサを充填嵌合すると共に、該断熱スペーサおよび木質基板を貫通した固設釘で該断熱パネルを躯体に固設した躯体の断熱構造であって、断熱パネルを固設する前には該断熱スペーサの中心部において該断熱スペーサ自体に固設釘が予め貫通しており、該固設釘がそれぞれの断熱層欠如部の底部を介して木質基板を躯体に固設するときに断熱スペーサがそれぞれの断熱層欠如部に充填嵌合されるものであることを特徴としている。
【０００９】
本願請求項２記載の発明は、上記請求項１記載の躯体の断熱構造において、上記断熱層欠如部および断熱スペーサのそれぞれの横断面を丸型にしたことを特徴としている。
【発明の効果】
【００１０】
本願請求項１記載の発明に係る躯体の断熱構造においては、断熱パネルの固設箇所ごとに独立した断熱層欠如部が形成されているので、該断熱層欠如部に充填嵌合する断熱スペーサは、従来のように固設箇所が連通した断熱層欠如部に細長い断熱スペーサを充填嵌合する躯体の断熱構造に比較して、断熱スペーサの長さを短いものにすることができる。
【００１１】
従って、該断熱スペーサを断熱層欠如部に充填嵌合するときその作業が容易で且つ例え該断熱スペーサが合成樹脂製の発泡体で形成されている場合でも断熱スペーサが該充填嵌合時或いは運搬時に折れたり破損することが少なくなる。
【００１２】
また、固設釘で断熱パネルを躯体に固設したとき同時に断熱スペーサも断熱パネルに該固設釘によって固設されるので、これらの固設作業が効率よく行われるとともに断熱スペーサが不用意に脱落しにくくなる。
【００１３】
また、断熱パネルが躯体に複数箇所の断熱層欠如部を介して確りと固設されるとともに各断熱層欠如部には断熱スペーサが充填嵌合されるから、断熱パネルの略全域に亘ってその断熱性能が安定均一化するのである。
【００１４】
また、断熱パネルを固設釘で躯体に固設する時点では、断熱スペーサには固設釘が予め貫通しているから、固設釘で断熱パネルを躯体に固設する作業を短時間に行うことができる。また、断熱スペーサの中心部に固設釘を正確に貫通させる作業を製造工場で効率よく行うことができる。
【００１５】
本願請求項２記載の発明に係る躯体の断熱構造は、上記構成であり、特に、上記断熱層欠如部および断熱スペーサのそれぞれの横断面が丸型であるから、当該横断面が角型の場合に比較して、断熱スペーサを断熱層欠如部に充填嵌合するとき当該両者の相対的回転角度が制限されることがなく、断熱スペーサを断熱層欠如部に迅速円滑に充填嵌合でき、且つ、該充填嵌合時に断熱スペーサ等が破損しにくいのである。
【発明を実施するための最良の形態】
【００１６】
以下本願発明に係る躯体の断熱構造の一実施の形態について図面を参照して説明する。
図１は躯体の断熱構造の説明的分解斜視図であり、図２は、図１における固設部の部分的断面図、図３は上記固設部に使用される断熱スペーサと固設釘との斜視図である。
【００１７】
同図において、１は断熱パネルであり該断熱パネル１は木質基板２の表面の略全域に断熱層３を貼着したものである。６は該断熱パネル１が固設される木製の躯体であり実施例においては柱６１、間柱６２、梁６３を矩形状に組み立てたものである。該躯体６は断熱パネル１を固設する機能があればよく独立した柱、梁、胴縁であってもよく、また、一枚の合板であってもよい。
【００１８】
断熱パネル１の断熱層３には複数個の断熱層欠如部３１が形成されている。該断熱層欠如部３は木質基板２に到達する深さであるが、断熱層欠如部３１の底部の木質基板２はいわゆるめくら状態である。
【００１９】
該断熱層欠如部３１の形成個数とその相対的位置関係は躯体６の骨組の位置関係に対応している。また、断熱層欠如部３１は横断面丸型で円柱状である。該断熱層欠如部３１の形状と略同一の大きさで同一の形状の断熱スペーサ４がそれぞれの断熱層欠如部３１にやや強制的に充填嵌合される。
【００２０】
断熱スペーサ４が断熱層欠如部３１に充填嵌合される前には予め固設釘５が該断熱スペーサ４に貫通しており、該固設釘５がそれぞれの断熱層欠如部３１の底部を介して木質基板２を躯体６に固設するとき同時に断熱スペーサ４がそれぞれの断熱層欠如部３１に充填嵌合される。固設釘５は製造工場等で予め断熱スペーサ４に貫通させておくことができるから、固設釘５は断熱スペーサ４の中心部を略正確に貫通している。従って、断熱パネル１を躯体６に固設釘５で固設するとき、該断熱スペーサ４がガイドとなって躯体６と固設釘５との位置関係が正確になるとともに、断熱スペーサ４を損傷させることなく断熱層欠如部３１に充填嵌合できる。図１においては一個の断熱スペーサ４とそれを貫通した一個の固設釘５のみを代表させて画いている。
【００２１】
断熱パネル１を構成する木質基板２は、合板、ハードボード、パーティクルボード、木質セメント板、中密度繊維板を積層した積層板等の釘固設可能な材料で構成される。断熱層３は、ポリスチレン発泡体、ポリエチレン発泡体、ポリプロピレン発泡体、フェノール樹脂発泡体、メラミン樹脂発泡体、ポリウレタン発泡体等で構成される。
【００２２】
断熱スペーサ４は、上記断熱層３と同一の材料或いは類似の材料で構成するが、必ずしも発泡体で構成する必要はない。例えばプラスチックの低発泡体、発泡していない弾性樹脂、ゴム等で構成することもできる。また、硬質プラスチックで構成してもよい。
【００２３】
固設釘５は、釘頭の大きいものを用いることが好ましいが、ビスやＵ字形釘等の他の固設具でもよい。
【００２４】
図４は本願発明に係る断熱スペーサ４の他の実施の形態における側面図である。同図に示し如く、この断熱スペーサ４はその形状が先細のくさび形の円錐台形状となっている。この断熱スペーサ４を使用するときは、上記断熱層欠如部３１の形状も先細の円錐台形状にすることが好ましい。
【００２５】
上記の断熱パネルは、例えば家屋外壁板の内側において柱、胴縁、壁下地板等に固設される。しかし、床や屋根の断熱構造として採用することもできる。
【図面の簡単な説明】
【００２６】
【図１】本願発明の一実施の形態である躯体の断熱構造の説明的分解斜視図。
【図２】上記躯体の断熱構造における固設部の部分断面図。
【図３】上記躯体の断熱構造における固設釘の斜視図。
【図４】本願発明の断熱スペーサの他の実施の形態における側面図。
【符号の説明】
【００２７】
１      断熱パネル
２      木質基板
３      断熱層
３１    断熱層欠如部
４      断熱スペーサ
５      固設釘
６      躯体
６１    柱
６２    間柱
６３    梁
【図１】
0004985457.tif 000002
【図２】
0004985457.tif 000003
【図３】
0004985457.tif 000004
【図４】
0004985457.tif 000005